(57)【要約】      （修正有）【課題】座接用サイドフレームとこれに片持ち支持されている座接用クッション板とからなる座面シートを介護用歩行器のスイングフレームに簡単に取り付け及び取り外し出来、かつ座面シートへの人間の座接を安全に保持出来る介護用歩行器の座面シートの連結保持構造体を提供する。【解決手段】スイングフレーム１０に固定されている上部支持体１６と下部支持体１７に座接用サイドフレームの上部フレーム１１や下部フレーム１２を挿入する。特に下部フレーム１２に設けられている係着体により座面シートは安全に、かつ確実にスイングフレーム１０に保持される。その取り外しは、係着体の手動動作により簡単に行われる。【選択図】図５
0003203837.tif 000002
【実用新案登録請求の範囲】
【請求項１】
キャスタ付のベースフレームに下端側を枢支するスイングフレームとその中間部に人間の尻部の坐る座接用クッション板とこれを保持する座接用サイドフレームを有する座面シートとを着脱可能に取り付け着座状態で１人で希望する場所に歩行出来る介護用歩行器の前記座面シートを前記スイングフレームに取り付け取り外しするための連結構造体であって、該連結構造体は、前記スイングフレームに固定される上部支持体及び下部支持体とこれ等に挿着保持される前記座面シートの座接用サイドフレームを構成する上部フレーム及び下部フレームとからなり、前記上部支持体には前記上部フレームの取り付け孔の挿入されるピンが立設固定され前記下部支持体には前記下部フレームの取り付け孔が挿入されて下部フレームの移動を拘束する係着体が立設固定され、前記係着体は前記下部支持体から立上る支持ピンと該支持ピンに傾斜して回動可能にスプリング保持される回動体とからなり、前記回動体は前記下部フレームが下部支持体の支持ピンに挿入される場合には支持ピン内に収納され下部フレームの挿入後にはスプリング力により傾斜し支持ピンから一端側をはみ出した状態になり下部フレームの移動を拘束する形態になることを特徴とする介護用歩行器の座面シートの連結保持構造体。
【考案の詳細な説明】
【技術分野】
【０００１】  本考案は、介護用歩行器に設けられている座面シートを本体側に簡単に連結すると共に連結状態を確実に保持し、座面シート上に人間が安全に着座出来ると共に取り外しが容易に出来る介護用歩行器の座面シートの連結保持構造体に関する。
【背景技術】
【０００２】  介護用歩行器としては各種のものが有るが人間の座接する座面シートが必要となる。この座接シートは固定式のものもあるが歩行器を収納するには全体が折り畳み可能のものが良く、このため座接シートも取り外し可能のものが便利である。しかしながら、固定式でない場合には座面シートが本体側に安全、かつ確実に保持されることが必要であり、更にその取り外しが容易であることが望まれる。このため種々の連結保持構造体が必要となるが本考案に近似する先行技術は見当らず「特許文献１」の如き取り付け構造が一例として挙げられる。
【先行技術文献】
【特許文献】
【０００３】
【特許文献１】特開平１１−２９３８３１号（図１）
【考案の概要】
【考案が解決しようとする課題】
【０００４】  「特許文献１」の「特開平１１−２９３８３１号」の｛構造物解体壁面へのパネル取外し構造」はかなり複雑な構造体からなり、締め付け用のボルトを多く使用している。このため取付け時における固持は確実ではあるが取付け及び取外しにかなりの時間を必要としかつ構造的にも複雑のものであり安価に適用出来るものではない。【０００５】  介護用歩行器に使用される座面シートとしては安全に、かつ確実に本体側に保持されることが必要ではあるが折り畳み収納する形態のものでは座面シートの取り付け取り外しが容易に、かつ安価に実施出来、かつ保持が確実であることが要請される。【０００６】  本考案はその要請に鑑みて考案されたものであり、取り付け取り外しが容易に出来、かつ本体側への取り付け保持が確実に出来、安価に実施出来る介護用歩行器の座面シートの連結保持構造体を提供することを目的とする。
【課題を解決するための手段】
【０００７】  本考案は、以上の目的を達成するため請求項１の考案は、キャスタ付のベースフレームに下端側を枢支するスイングフレームとその中間部に人間の尻部の坐る座接用クッション板とこれを保持する座接用サイドフレームを有する座面シートとを着脱可能に取り付け着座状態で１人で希望する場所に歩行出来る介護用歩行器の前記座面シートを前記スイングフレームに取り付け取り外しするための連結構造体であって、該連結構造体は、前記スイングフレームに固定される上部支持体及び下部支持体とこれ等に挿着保持される前記座面シートの座接用サイドフレームを構成する上部フレーム及び下部フレームとからなり、前記上部支持体には前記上部フレームの取り付け孔の挿入されるピンが立設固定され前記下部支持体には前記下部フレームの取り付け孔が挿入されて下部フレームの移動を拘束する係着体が立設固定され、前記係着体は前記下部支持体から立上る支持ピンと該支持ピンに傾斜して回動可能にスプリング保持される回動体とからなり、前記回動体は前記下部フレームが下部支持体の支持ピンに挿入される場合には支持ピン内に収納され下部フレームの挿入後にはスプリング力により傾斜し支持ピンから一端側をはみ出した状態になり下部フレームの移動を拘束する形態になることを特徴とする。
【考案の効果】
【０００８】  本考案の介護用歩行器の座面シートの連結保持構造体によれば、座面シートはボルト締めなどの固定手段を必要とせず座面シートの上部フレーム及び下部フレームをスイングフレームの上部支持体や下部支持体に挿入しピン支持されると共に下部支持体の支持ピンに傾斜して回動する回動体により外れが拘束される構造からなり、取り付け取り外し動作が容易に行われると共に座面シートの安全支持が可能とする。実験的試行によれば約９０ｋｇの体重の人の座接に耐えれる保持力を有する事が解った。また、構造的にも安便のもので安価に製作可能である。
【図面の簡単な説明】
【０００９】
【図１】介護用歩行器の全体構造を示す斜視図（ａ）とこの状態から座面シートを取り外し立上り状態にした介護用歩行器を示す斜視図（ｂ）と（ｂ）の状態にあったスイングフレームを立上り状態から収納のため水平状態に倒した状態を示す斜視図（ｃ）を示す。
【図２】座面シートにおける回動機構部を除去した形態を示す斜視図。
【図３】スイングフレームに固定されている上部支持体と下部支持体を示す概要側面図（ａ）と下部支持体に設けられている係着体の詳細拡大図を示す側面図（ｂ）。
【図４】座面シートの下部フレームとスイングフレーム側の下部支持体の係着体との係合初期状態を示す模式図（ａ）と下部フレームの係着体への挿入取り付け状態の途中の状態を示す模式図（ｂ）と下部フレームが係着体に挿入されて保持固定された状態を示す模式図（ｃ）。
【図５】スイングフレームに座面シートを取り付けた状態を示す部分的模式図。
【考案を実施するための形態】
【００１０】  以下、本考案の介護用歩行器の座面シートの連結保持構造体１００の実施の形態を図面を参照して詳述する。
なお、以下の説明は図示の構造の座面シートについての実施例であり、座面シートの形状は図示のものに限定するものではない。
【実施例】
【００１１】  図１（ａ）に示す介護用歩行器は概略次の構造のものからなる。
左右のベースフレーム１８，１８は下面にキャスタ１９を有するものからなりベースフレーム１８，１８にはクロスフレーム２０が介設されてＨ型のフレームを形成する。スイングフレーム１０はベース板２１を有しその左右端から立上りベースフレーム１８に回動可能に支持されるフレーム２２，２２とからなる。なお、フレーム２２，２２は更に詳細な構造のものからなるがその説明は省略する。また、スイングフレーム１０は高さ調整可能に形成されているがその構造説明も省略する。【００１２】  本考案はスイングフレーム１０に取り付け及び取り外し可能に形成されている座面シート７の連結保持構造体についてのものであるがこの座面シート７そのものの詳細構造は省略しその連結保持構造について以下に詳説する。【００１３】  図２は座面シート７の概要構造を示すものである。座面シート７は座接用サイドフレーム８とこれに取り付けられている座接用クッション板９とからなる。但し、座接用サイドフレーム８にはその回動機構が設けられているが図２ではその回動機構は省略している。また、座接用クッション板９についてもその詳細構造は省略している。【００１４】  図２に示す座接用サイドフレーム８は下部フレーム１２とクロス材１３の前後に立設し下部フレーム１２と併設されている上部フレーム１１とからなる。この座接用サイドフレーム８のスイングフレーム１０への取り付けは上部フレーム１１の前端と下部フレーム１２の前端の部分で行われる。なお、図示のように上部フレーム１１及び下部フレーム１２は四角形の枠体状のものからなり、上部フレーム１１及び下部フレーム１２の前端側には孔１４，１５が設けられている。なお、下部フレームの孔１５は貫通した形状のものからなる。また、図２に示すように下部フレーム１２には座接用クッション板９が片持ち支持されている。【００１５】  図３は座面シート７が取り付けられるスイングフレーム１０の連結構造体の一部であるＬ型で突出する上部支持体１６と下部支持体１７が固定されている。この上部支持体１６にはピン５が突出して設けられ下部支持体１７には係着体１が突出した形で設けられている。
ピン５は通常の丸棒体からなるものであるが係着体１は特殊の形状のものからなり、本考案は主要の構造体からなる。【００１６】  図３（ｂ）に示すように係着体１は下部支持体１７の上面に固着するシート４とこの上に立設固定される支持ピン２と支持ピン２に自由状態では回動可能に傾斜して取り付けられている回動体３とからなり、回動体３は上下面側を出っ張った状態でスプリング６により保持されている。但し、回動体３がスプリング６に抗して逆時計廻りに回動した場合には全体として支持ピン２内に収納される構造のものからなる。【００１７】  図４は介護用歩行器の座面シートの連結保持構造体の連結状態を示すものである。なお、図示では上部支持体１６への上部フレーム１１と取り付け状態は示されているがこの取り付けは上部フレーム１１のピン５に上部フレーム１１の孔１４を挿入するもので通常の挿入動作で行われるため図示によるその説明は省略する。【００１８】  図４（ａ）に示すようにまず下部フレーム１２の孔１５を係着体１と相対向する位置に位置付けて下部フレーム１２を矢印のように下げる。前記したように、回動体３は下部フレーム１２の孔１５の挿入により支持ピン２の内部に回動する。これにより下部フレーム１２は係着体１内に簡単に挿入される。更に、下部フレーム１２を下方に移動してシート４に当接するまで下げると回動体３がスプリング６の力により元の傾斜状態に復元して傾斜する。これにより下部フレーム１２を上方に引き上げることが出来なくなる。【００１９】  図５は座面シート７をスイングフレーム１０に取り付けて保持されている状態を示すものであり、この連結構造によって座面シート７はスイングフレーム１０側に確実に連結保持される。【００２０】  一方、座面シート７をスイングフレーム１０より取り外すには座面シート７の下部フレーム１２の孔１５より首を出している回動体３を手動により回動させることにより下部フレーム１２を下部支持体１７から取り外しが出来る。また、上部支持体１６から上部フレーム１１を取り外すことは通常の引き抜き動作によって容易に行われる。
以上のように本考案の介護用歩行器の座面シートの連結保持構造体はボルト等の固定具を使用することなく手動により容易に取り付け及び取り外しを行うことが出来る。また、全体構造が簡単なもので安価に製作することが可能である。【００２１】  本考案は以上の説明の内容からなるが本考案は以上の内容に限定するものではなく、同一技術的範疇のものが適用されることは勿論である。
【産業上の利用可能性】
【００２２】  本考案の介護用歩行器の座面シートの連結保持構造体は以上において説明した内容の介護用歩行器の座面シートに限定するものではなく、その他の着脱体にも適用可能であり、その利用範囲は極めて広い。
【符号の説明】
【００２３】  １      係着体
２      支持ピン
３      回動体
４      シート
５      ピン
６      スプリング
７      座面シート
８      座接用サイドフレーム
９      座接用クッション板
１０    スイングフレーム
１１    上部フレーム
１２    下部フレーム
１３    クロス材
１４    孔
１５    孔
１６    上部支持体
１７    下部支持体
１８    ベースフレーム
１９    キャスタ
２０    クロスフレーム
２１    ベース板
２２    フレーム
１００  介護用歩行器の座面シートの連結保持構造体
【図１】
0003203837.tif 000003
【図２】
0003203837.tif 000004
【図３】
0003203837.tif 000005
【図４】
0003203837.tif 000006
【図５】
0003203837.tif 000007